(57)【要約】【課題】第１のチャンネルへの音声入力の後に第２のチャンネルへの比較的小さな音量の音声入力がされた場合に、後者の音声入力が検出されにくかった。【解決手段】ｎチャンネル分の音量調整回路１１のそれぞれは、入力音声信号を平滑化回路１０２で平滑化した平滑化信号の信号レベルを保持する信号レベル保持回路１０５と、平滑化信号と保持した信号レベルとのうちいずれかを選択し、スイッチ出力信号として平均信号レベル検出回路１２に供給するスイッチ１０４と、平滑化信号の信号レベルと平均信号レベル検出回路１２で検出した平均信号レベルとを比較し、所定のスレッショルドレベルに基づきＯＮ又はＯＦＦを判定して、スイッチ１０４及び出力ゲート１０９を制御するための切換制御信号を出力する比較器１０３とを備えた。【選択図】図１
2008205522.tif 000002
【特許請求の範囲】
【請求項１】
入力された音声信号を検出したときのみ、出力ゲートを開けて前記音声信号を出力するように制御する音声信号出力制御手段を複数備えた音声信号処理装置であって、
前記複数と同数の入力部を有し、これらの入力部にそれぞれ入力される後記選択出力信号より平均信号レベルを検出する平均信号レベル検出手段を備えると共に、
前記複数の音声信号出力制御手段のそれぞれは、
前記入力された音声信号の信号レベルを保持する信号レベル保持手段と、
前記入力された音声信号と前記信号レベル保持手段に保持した信号レベルによる固定レベル信号とのうちいずれかを選択し、選択出力信号として前記平均信号レベル検出手段の前記入力部の一つに供給する選択手段と、
前記入力された音声信号の信号レベルと前記平均信号レベル検出手段で検出した平均信号レベルとを比較し、閾値に基づきＯＮ又はＯＦＦを判定して、前記選択手段及び前記出力ゲートをそれぞれ制御するための制御信号を出力する比較手段とを備え、
前記各比較手段は、前記平均信号レベルに対する前記音声信号の信号レベルが前記閾値に基づきＯＮと判定する場合は、前記制御信号により前記選択手段から前記固定レベル信号を選択させるようにすると共に前記出力ゲートを開けるようにし、前記平均信号レベルに対する前記音声信号の信号レベルが前記閾値に基づきＯＦＦと判定する場合は、前記制御信号により前記選択手段から前記入力された音声信号を選択させるようにすると共に前記出力ゲートを閉じるようにしたことを特徴とする音声信号処理装置。
【請求項２】
前記各比較手段は、
前記閾値を、ヒステリシス特性を有したものとすると共に、
前記閾値に基づきＯＮと判定された期間を、所定期間分引き延ばす遅延手段を更に備えたことを特徴とする請求項１記載の音声信号処理装置。
【請求項３】
前記各比較手段の遅延手段から出力される制御信号をアタック期間、ホールド期間、及びリリース期間の３つの期間に対応したタイミングで生成し、前記アタック期間及びホールド期間において前記出力ゲートを開き、前記リリース期間において前記出力ゲートを閉じるように制御するアタックリリース手段を更に備えたことを特徴とする請求項２記載の音声信号処理装置。
【請求項４】
前記平均信号レベル検出手段は、前記検出した平均信号レベルを所定時間遅延させる遅延部を更にそなえたことを特徴とする請求項１〜３のうちいずれか１項記載の音声信号処理装置。
【発明の詳細な説明】
【技術分野】
【０００１】
本発明は、複数の音声信号入力に対して適切に入力音声信号を検出して出力することが可能であり、自動音量調整装置に用いて好適な音声信号処理装置に関する。
【背景技術】
【０００２】
複数チャンネルの音声信号入力部及び出力部を備え、チャンネル毎の音量を調整する音量調整部を備えた音量調整装置が知られている（例えば、特許文献１参照）。従来、このような音量調整装置をオーディオミキサに適用し、各入力チャンネルにマイクロホンやオーディオ装置のライン出力を入力して音量を調整し、選択的に切換えて出力することが行われている。
【０００３】
従来の音量調整装置について、より具体的に説明する。図５は、一般的な自動音量調整装置における要部の概略ブロック構成を示した図である。同図に示す自動音量調整装置は、８チャンネルのモノラル音声信号の処理回路を備えたものであり、任意のチャンネルに音声信号を入力してその音声信号が検出された場合に、当該チャンネルのボリュームにより音量調整された音声信号を出力するよう構成されている。そして、音声信号の検出処理は、所望のチャンネルに入力した音声信号を平滑化して得られる音声信号レベルと、８チャンネル分の入力音声信号を平均化し平滑化して得られる平均音声信号レベルとの比較により行われる。このため、入力音声信号の音声信号レベルと比較される平均音声信号レベルは、入力の状態に対応して随時変動するものである。
【０００４】
このような構成の自動音量調整装置によれば、任意のチャンネルに入力される音声信号の音量調整を、全体的な音声入力レベルに応じて制御することができるため、当該自動音量調整装置から出力される音声信号によるハウリングの発生を抑制したり、暗騒音に対して聴きやすくしたりすることができる。
【特許文献１】特開２００５−３４１１３５号公報
【発明の開示】
【発明が解決しようとする課題】
【０００５】
しかしながら、上述したような構成の自動音量調整装置では、例えば、各入力チャンネルにマイクロホンを接続した場合において、第１のチャンネルに対する比較的大きな音量の音声入力に続いて第２のチャンネルに対する比較的小さな音量の音声入力がされた場合に、後者の音声入力が検出されにくいという問題があった。
【０００６】
この問題について、図５に示した従来の自動音量調整装置を例に具体的に説明する。同図における自動音量調整装置の音声信号入力端子ＭＯＮＯ１〜ＭＯＮＯ８には、８本のマイクロホン（不図示）がそれぞれ接続されているものとする。そして、８個それぞれの比較器が出力をＯＮするための入力レベル差が１０ｄＢであるとする。まず、全てのマイクロホンに音声入力がない場合において１本目のマイクロホンに音声入力がされた場合、平均信号レベル検出回路５１の出力、すなわち、音声信号入力端子ＭＯＮＯ１〜ＭＯＮＯ８における暗騒音レベルの平均値＋１０ｄＢ以上のレベルにおいて比較器５２−１はＯＮされることとなる。
【０００７】
これに続いて、２本目のマイクロホンに音声入力がされた場合、平均信号レベル検出回路５１の出力は、音声信号入力端子ＭＯＮＯ１〜ＭＯＮＯ８における暗騒音レベルに１本目のマイクロホンからの音声レベルが加算されたものの平均値となり、比較器５２−２はその平均値＋１０ｄＢ以上のレベルにならないとＯＮしないこととなる。よって、１本目のマイクロホンに音声入力がされた後に、２本目のマイクロホンに比較的小さな音量の音声入力がされた場合に、比較器５２−２がＯＮされずに音声出力がされない場合があった。
【０００８】
本発明は、上記問題に鑑みてなされたものであり、その目的は、ハウリングの発生を抑制しつつ暗騒音による影響を抑えると共に、ダイナミックレンジの広い複数の音声信号入力に対し、それぞれの入力音声信号を適切に検出して出力させることが可能な音声信号処理装置を提供することである。
【課題を解決するための手段】
【０００９】
本発明は、上記の課題を解決するために、以下［１］〜［４］の手段を提供するものである。
［１］  入力された音声信号を検出したときのみ、出力ゲート（１０９）を開けて前記音声信号を出力するように制御する音声信号出力制御手段（１１）を複数（ｎ）備えた音声信号処理装置であって、
前記複数と同数の入力部を有し、これらの入力部にそれぞれ入力される後記選択出力信号より平均信号レベルを検出する平均信号レベル検出手段（１２）を備えると共に、
前記複数の音声信号出力制御手段（１１）のそれぞれは、
前記入力された音声信号の信号レベルを保持する信号レベル保持手段（１０５）と、
前記入力された音声信号と前記信号レベル保持手段に保持した信号レベルによる固定レベル信号とのうちいずれかを選択し、選択出力信号として前記平均信号レベル検出手段（１２）の前記入力部の一つに供給する選択手段（１０４）と、
前記入力された音声信号の信号レベルと前記平均信号レベル検出手段（１２）で検出した平均信号レベルとを比較し、閾値に基づきＯＮ又はＯＦＦを判定して、前記選択手段（１０４）及び前記出力ゲート（１０９）をそれぞれ制御するための制御信号を出力する比較手段（１０３）とを備え、
前記各比較手段（１０３）は、前記平均信号レベルに対する前記音声信号の信号レベルが前記閾値に基づきＯＮと判定される場合は、前記制御信号により前記選択手段（１０４）から前記固定レベル信号を選択させるようにすると共に前記出力ゲート（１０９）を開けるようにし、前記平均信号レベルに対する前記音声信号の信号レベルが前記閾値に基づきＯＦＦと判定される場合は、前記制御信号により前記選択手段（１０４）から前記入力された音声信号を選択させるようにすると共に前記出力ゲート（１０９）を閉じるようにしたことを特徴とする音声信号処理装置。
［２］  前記各比較手段（１０３）は、
前記閾値を、ヒステリシス特性を有したものとすると共に、
前記閾値に基づきＯＮと判定された期間を、所定期間分引き延ばす遅延手段（１０６）を更に備えたことを特徴とする前記［１］記載の音声信号処理装置。
［３］  前記各比較手段（１０３）の遅延手段（１０６）から出力される制御信号をアタック期間、ホールド期間、及びリリース期間の３つの期間に対応したタイミングで生成し、前記アタック期間及びホールド期間において前記出力ゲート（１０９）を開き、前記リリース期間において前記出力ゲート（１０９）を閉じるように制御するアタックリリース手段（１０８）を更に備えたことを特徴とする前記［２］記載の音声信号処理装置。
［４］  前記平均信号レベル検出手段（１２）は、前記検出した平均信号レベルを所定時間遅延させる遅延部を更にそなえたことを特徴とする前記［１］〜［３］のうちいずれか１項記載の音声信号処理装置。
【発明の効果】
【００１０】
本発明によれば、ハウリングの発生を抑制しつつ暗騒音による影響を抑えると共に、ダイナミックレンジの広い複数の音声信号入力に対し、それぞれの入力音声信号を適切に検出して出力させることができる。
【発明を実施するための最良の形態】
【００１１】
以下、本発明を実施するための最良の形態について、好ましい実施例を示して詳細に説明する。
【実施例】
【００１２】
本実施例では、本発明の実施形態である音声信号処理装置を適用した自動音量調整装置について説明する。この自動音量調整装置は、ｎチャンネルのモノラル音声信号の信号レベルをそれぞれ調整するためのｎ個の音量調整回路と、ｎチャンネルのモノラル音声信号から平均信号レベルを検出するための平均信号レベル検出回路とを備えたものである。この平均信号レベル検出回路は、ハウリングの発生を抑制しつつ暗騒音による影響を抑えるためのものである。
【００１３】
図１に、本実施例である自動音量調整装置１の要部の概略ブロック図を示す。同図には、ｎ個の音量調整回路のうち１チャンネル分の音量調整回路１１及び平均信号レベル検出回路１２についての概略ブロック構成のみを示し、その他の音量調整回路については、各構成が音量調整回路１１と同等であるため省略する。以下、自動音量調整装置１における音量調整回路１１及び平均信号レベル検出回路１２の構成について説明する。
【００１４】
図１に示すように、自動音量調整装置１のｎ個の音量調整回路のうち１チャンネル分の音量調整回路１１は、音声信号入力端子１０１と、平滑化回路１０２と、比較器１０３と、スイッチ１０４と、信号レベル保持回路１０５と、ホールド回路１０６と、バッファ１０７と、アタックリリース回路１０８と、出力ゲート１０９と、音量操作部１１０と、音声信号出力端子１１１とを備えている。
【００１５】
音声信号入力端子１０１には、モノラル音声信号が入力される。このモノラル音声信号は、マイクロホンからのマイクロホン信号とオーディオ装置からのライン出力信号とのいずれか一方を不図示の切換スイッチにより切換え選択して入力することができる。本実施例においては、モノラル音声信号としてマイクロホン信号が音声信号入力端子１０１に入力されるものとする。
【００１６】
音声信号入力端子１０１に入力されたマイクロホン信号（以下、入力音声信号と記載する。）は、平滑化回路１０２と出力ゲート１０９とに供給される。平滑化回路１０２は、供給された入力音声信号の正成分を平滑化して平滑化信号を生成し、比較器１０３とスイッチ１０４とに供給する。図２に、平滑化回路１０２の等価回路の例を示し、図３に平滑化回路１０２の入出力波形を模式的に表した例を示す。
【００１７】
比較器１０３は、平滑化回路１０２から供給された平滑化信号と、平均信号レベル検出回路１２から供給されるｎチャンネルの平均音声信号（詳細は後述する。）とを入力してレベルを比較し、スレッショルドレベル（閾値）を超えた場合にＯＮして、比較器出力信号をホールド回路１０６に供給する。具体的には、比較器１０３を、コンパレータを用いて構成することができる。
【００１８】
本実施例においては、比較器１０３としてシュミットトリガタイプのコンパレータを使用する。すなわち、比較器１０３は、その２つの入力信号レベルの関係が、例えば（１）平滑化信号≧平均音声信号の場合は比較器出力信号をＯＮし、（２）（平滑化信号−１０ｄＢ）＜平均音声信号の場合は比較器出力信号をＯＦＦし、（３）（（平滑化信号−１０ｄＢ）≧平均音声信号）且つ（平滑化信号＜平均音声信号）の場合は比較器出力信号の状態を変化させないというヒステリシス特性を有したものである。
【００１９】
スイッチ１０４は、平滑化回路１０２から供給された平滑化信号と、信号レベル保持回路１０５の出力部から供給されるレベルホールド信号（詳細は後述する。）とを入力し、ホールド回路１０６からバッファ１０７を介して供給される切換制御信号（詳細は後述する。）によりいずれかの入力信号を選択しスイッチ出力信号として信号レベル保持回路１０５の入力部と平均信号レベル検出回路１２の入力部とに供給する。
【００２０】
信号レベル保持回路１０５は、これの入力部に入力されたスイッチ出力信号の信号レベルを保持し、前記レベルホールド信号として出力部より出力する。
【００２１】
本実施例においては、ホールド回路１０６も設ける。ホールド回路１０６は、比較器１０３から供給された比較器出力信号を入力してＯＮの期間を所定期間だけ引き延ばし、前記切換制御信号としてバッファ１０７とアタックリリース回路１０８とに供給する。本実施例における前記所定期間の好ましい例は１００ｍＳｅｃ〜１Ｓｅｃである。
【００２２】
ここで、比較器１０３としてシュミットトリガタイプのコンパレータを使用すると共に、比較器１０３がＯＮしている期間を所定期間だけ引き延ばすためのホールド回路１０６を採用する理由は、比較器１０３への入力信号レベルがスレッショルドレベル付近にある場合に、比較器１０３が頻繁にスイッチングして比較器出力信号のＯＮ／ＯＦＦが乱発することを防ぎ、特に、マイクロホンの話者の言葉の区切り等でこれが多発しないようにするためである。
【００２３】
さらに、本実施例では、アタックリリース回路１０８をも設ける。アタックリリース回路１０８は、ホールド回路１０６から供給された切換制御信号を入力し、アタック期間、ホールド期間、及びリリース期間の３つの期間による出力ゲート制御信号を生成して出力ゲート１０９に供給する。図４に、比較器出力信号、切換制御信号、及び出力ゲート制御信号の相対関係を示したタイミングチャートを示す。同図に示すように、出力ゲート制御信号のアタック期間は、比較器１０３におけるスレッショルドレベルを超えた時点から出力ゲート１０９のゲートを開ける時点までに相当する期間である。ホールド期間は、ホールド回路１０６において引き延ばされる前記所定期間に相当する期間である。そして、リリース期間は、ホールド期間の終了時点から出力ゲート１０９のゲートを閉じる時点までに相当する期間である。
【００２４】
ホールド回路１０６から出力される切換制御信号は同図のタイミングチャートに示した如くＯＮ／ＯＦＦの２値波形であり、このデジタル信号としての切換制御信号をそのまま後述する出力ゲート１０９のゲートを制御する信号に用いると、出力ゲート１０９を通過する音声信号が顕著に断続的となり、いわゆるパチ音が発生してしまう。アタックリリース回路１０８は、このパチ音を防止又は抑制するために用いられるものである。なお、アタックリリース回路１０８は、時定数によって充放電を行う充放電回路により構成することができるし、ＤＳＰ（Ｄｉｇｉｔａｌ  Ｓｉｇｎａｌ  Ｐｒｏｃｅｓｓｏｒ）により構成することができる。
【００２５】
出力ゲート１０９は、音声信号入力端子１０１を介して入力された入力音声信号を、アタックリリース回路１０８から供給された出力ゲート制御信号のアタック期間及びホールド期間においてゲートを開けて通過させて音量操作部１１０に供給し、出力ゲート制御信号のリリース期間及び無信号期間においてはゲートを閉じて無信号出力にする。
【００２６】
音量操作部１１０は、操作者により操作されるスライダ型又は回転つまみ型の音量操作子を具備し、出力ゲート１０９を通過してきた入力音声信号を音量操作子の操作に従って略１００％〜略０％の間でレベル調整し、出力音声信号として音声信号出力端子１１１を介して外部に出力する。
【００２７】
次に、図１に示した平均信号レベル検出回路１２について説明する。同図に示すように、平均信号レベル検出回路１２は、ｎ個の音量調整回路のそれぞれから供給されるスイッチ出力信号を入力部に入力して加算処理するための加算器１２ａと、この加算処理された信号をｎチャンネルの数で除算して前記ｎチャンネルの平均音声信号を出力部より出力するための除算器１２ｂとを備えている。
【００２８】
次に、本実施例である自動音量調整装置１の動作について、主にその特徴的な部分を説明する。まず、自動音量調整装置１の電源投入後の起動時、又はシステムリセット時において、ｎチャンネル分のスイッチ１０４は、平滑化回路１０２から供給される平滑化信号を選択する状態に初期設定される。また、ｎチャンネル分の比較器１０３は、これら比較器１０３からの比較器出力信号がＯＦＦになるように初期設定され、よってｎチャンネル分の出力ゲート１０９は閉じられた状態となる。
【００２９】
次に、ｎチャンネル全ての入力音声信号にいずれのマイクロホンからの音声入力がない場合、すなわち、自動音量調整装置１には暗騒音のみが入力されている場合と、１本目のマイクロホンから第１のチャンネルに発声による音声入力がされた場合と、１本目のマイクロホンから第１のチャンネルに発声による音声入力がされている状態において、２本目のマイクロホンから第２のチャンネルに発声による音声入力がされた場合とについて、自動音量調整装置１の動作を説明する。
【００３０】
＜ｎチャンネル全てに音声入力がない場合＞
自動音量調整装置１が前述したように初期設定された後、ｎチャンネル全ての入力音声信号にいずれのマイクロホンからの音声入力がない場合、各チャンネルの暗騒音が各平滑化回路１０２で平滑化されて平滑化信号として平均信号レベル検出回路１２に入力され、「ｎチャンネル分の暗騒音の和をｎチャンネルの数で平均化した」平均音声信号が検出されて各比較器１０３の入力部の一方に供給される。そして、各チャンネルの平滑化信号は各信号レベル保持回路１０５に供給されてその信号レベルが保持される。
【００３１】
各平滑化回路１０２から出力された平滑化信号は各比較器１０３の入力部の他方にも供給される。この場合において、各比較器１０３の２つの入力レベル値はスレッショルドレベルを超えないために比較器出力信号はＯＦＦのままであり、各スイッチ１０４の切換状態は、平滑化信号を選択する状態に保持されると共に、各出力ゲート１０９のゲートは閉じられて各音声信号出力端子１１１からの出力音声信号は無信号となる。
【００３２】
＜１本目のマイクロホンから発声による音声入力がされた場合＞
次に、１本目のマイクロホンから第１のチャンネルに発声による音声入力があった場合、その入力音声信号は第１のチャンネルの平滑化回路１０２と出力ゲート１０９とに供給される。そして、平滑化回路１０２で平滑化された平滑化信号がスイッチ１０４を介して平均信号レベル検出回路１２の入力部と信号レベル保持回路１０５とに供給され、信号レベル保持回路１０５では、供給された平滑化信号の信号レベルを保持する。
【００３３】
第１のチャンネルの比較器１０３には、その入力部の一方に、平均信号レベル検出回路１２を通過することによって伝播遅延された、「ｎチャンネル分の暗騒音の和をｎチャンネルの数で平均化した」平均音声信号が入力されると共に、前記入力部の他方には、平滑化回路１０２から供給された音声入力による平滑化信号が入力される。前述したように、比較器１０３はヒステリシス特性を有しており、２つの入力信号レベルの関係が、平滑化信号≧平均音声信号の場合に比較器出力信号をＯＮし、それに従って、ホールド回路１０６からの切換制御信号をＯＮする。そして、この切換制御信号はバッファ１０７を介してスイッチ１０４に供給されると共に、アタックリリース回路１０８に供給される。そして、スイッチ１０４は、選択状態を信号レベル保持回路１０５側に切り換える。
【００３４】
アタックリリース回路１０８は、切換制御信号を入力し、図４に示したタイミング図の如くアタック期間のタイミング波形を生成して出力ゲート制御信号として出力ゲート１０９に供給する。そして、出力ゲート１０９はそのアタック期間においてゲートを開き、第１のチャンネルの音声入力を通過させて音量操作部１１０に供給し、操作者による音量操作子の操作により所望のレベルに調整された出力音声信号として音声信号出力端子１１１を介して外部に出力する。
【００３５】
そして、比較器１０３に入力される２つの入力信号レベルの関係が、（（平滑化信号−１０ｄＢ）≧平均音声信号）且つ（平滑化信号＜平均音声信号）の場合には、比較器出力信号の状態を変化させないためスイッチ１０４の選択状態は変化せず、且つ、アタックリリース回路１０８はホールド期間のタイミング波形を生成して出力ゲート制御信号を出力する。
【００３６】
さらに、比較器１０３に入力される２つの入力信号レベルの関係が、（平滑化信号−１０ｄＢ）＜平均音声信号の場合には、比較器出力信号をＯＦＦし、それに従ってホールド回路１０６からの切換制御信号は前記所定期間だけＯＮの期間を引き延ばすように動作する。そして、スイッチ１０４の選択状態は、切換制御信号のＯＮ状態の継続後に平滑化信号側に切り換わると共に、アタックリリース回路１０８はリリース期間のタイミング波形を生成する。そして、出力ゲート１０９はリリース期間においてゲートを閉じ、出力ゲート１０９からの出力を無信号出力にする。
【００３７】
＜更に２本目のマイクロホンから発声による音声入力がされた場合＞
次に、１本目のマイクロホンから第１のチャンネルに発声による音声入力がされている状態において、２本目のマイクロホンから第２のチャンネルに発声による音声入力がされた場合、その入力音声信号は、第２のチャンネルの平滑化回路１０２と出力ゲート１０９とに供給される。そして、平滑化回路１０２で平滑化された平滑化信号がスイッチ１０４を介して平均信号レベル検出回路１２の入力部と信号レベル保持回路１０５とに供給され、信号レベル保持回路１０５では、供給された平滑化信号の信号レベルを保持する。
【００３８】
第２のチャンネルの比較器１０３には、その入力部の一方に、平均信号レベル検出回路１２を通過することによって伝播遅延された、「ｎチャンネル分の暗騒音の和と、第１のチャンネルに入力された音声入力の、比較器１０３をＯＮにしたときのレベルとの和を、ｎチャンネルの数で平均化した」平均音声信号が入力されると共に、前記入力部の他方には、平滑化回路１０２から供給された音声入力による平滑化信号が入力される。その他の動作については、上述した１本目のマイクロホンからの音声入力がされた場合と同様である。
【００３９】
以上の説明により明らかなとおり、発明が解決しようとする課題の欄に記載した従来の自動音量調整装置と比べて、本実施例の自動音量調整装置１は、第２のチャンネルに入力された入力音声信号を検出する信号レベルが低いため、１本目のマイクロホンに音声入力がされた後に、２本目のマイクロホンに比較的小さな音量の音声入力がされた場合であっても、第２のチャンネルの比較器１０３が適切にＯＮして音声出力がされることとなる。
【００４０】
以上詳述したように、本発明の実施形態である音声信号処理装置を適用した実施例としての自動音量調整装置によれば、平均信号レベル検出回路を設けたことにより、ハウリングの発生を抑制しつつ暗騒音による影響を抑えると共に、特に、信号レベル保持回路を設けたことにより、ダイナミックレンジの広い複数の音声信号入力に対し、それぞれの入力音声信号を適切に検出して音量操作部に供給することができる。
【００４１】
なお、本発明の実施形態である音声信号処理装置を適用した実施例としての自動音量調整装置の変形例として、以下の構成を採用することもできる。具体的には、平均信号レベル検出回路１２における除算器１２ｂと平均信号レベル検出回路１２の出力部との間に、除算器１２ｂから出力されたｎチャンネル分の平均音声信号を所定時間遅延させるための遅延器（不図示）を備えるというものである。
【００４２】
入力音声信号は、入力時の立ち上がり傾斜がそれぞれ異なるのが通常であり、比較器１０３が検出するタイミングによっては平均音声信号レベルが変動してしまうこととなる。そこで、前記遅延器を更に備えてｎチャンネル分の平均音声信号を所定時間分遅延させることにより、入力音声信号が入力される前の信号レベルを確実に検出して、比較器１０３へ供給することができる。この実施例の変形例における、遅延時間の好ましい例は５００ｍＳｅｃ〜１Ｓｅｃである。
【図面の簡単な説明】
【００４３】
【図１】本発明の実施形態である音声信号処理装置を適用した自動音量調整装置の、要部の概略ブロック図である。
【図２】実施例における、平滑化回路の等価回路の例を示した図である。
【図３】実施例における、平滑化回路の入出力波形を模式的に表した図である。
【図４】実施例における、比較器出力信号、切換制御信号、及び出力ゲート制御信号の相対関係を示したタイミングチャートを示した図である。
【図５】従来例である自動音量調整装置における、要部の概略ブロック構成を示した図である。
【符号の説明】
【００４４】
１  自動音量調整装置
１１  音量調整回路
１２  平均信号レベル検出回路
１０１  音声信号入力端子
１０２  平滑化回路
１０３  比較器
１０４  スイッチ
１０５  信号レベル保持回路
１０６  ホールド回路
１０７  バッファ
１０８  アタックリリース回路
１０９  出力ゲート
１１０  音量操作部
１１１音声信号出力端子
【図１】
2008205522.tif 000003
【図２】
2008205522.tif 000004
【図３】
2008205522.tif 000005
【図４】
2008205522.tif 000006
【図５】
2008205522.tif 000007